【手続補正書】
【提出日】平成16年2月4日(2004.2.4)
【手続補正１】
【補正対象書類名】特許請求の範囲
【補正対象項目名】請求項１３
【補正方法】変更
【補正の内容】
【請求項１３】
MATERオリゴヌクレオチドが、配列番号：25から53までの任意の1つに示される配列を含む、請求項11記載の方法。
【手続補正２】
【補正対象書類名】特許請求の範囲
【補正対象項目名】請求項２３
【補正方法】変更
【補正の内容】
【請求項２３】
オリゴヌクレオチドプライマーが、配列番号：25から53までの任意の1つに示される配列を含む、請求項22記載の方法。
【手続補正３】
【補正対象書類名】特許請求の範囲
【補正対象項目名】請求項２７
【補正方法】変更
【補正の内容】
【請求項２７】
ヌクレオチド・プローブが、配列番号：25から53までの任意の1つに示される配列を含む、請求項26記載の方法。
【手続補正４】
【補正対象書類名】特許請求の範囲
【補正対象項目名】請求項３１
【補正方法】変更
【補正の内容】
【請求項３１】
オリゴヌクレオチドが、配列番号：25から53までの任意の1つに示される配列を含む、請求項29記載のキット。
【手続補正５】
【補正対象書類名】明細書
【補正対象項目名】００１４
【補正方法】変更
【補正の内容】
【００１４】
配列表
添付の配列表中の核酸およびアミノ酸配列は、37連邦規則集1.822において定められた定義のとおり、ヌクレオチド塩基においては標準的文字省略形で、アミノ酸においては3文字コードで示される。それぞれのヌクレオチド配列のうち一鎖のみが示されるが、示される鎖へのいずれの言及によっても、相補鎖が含まれるものと理解される。添付の配列表中において、
配列番号：1は、ヒトMater cDNA断片1の核酸配列を示す；
配列番号：2は、断片1（配列番号：1）によってコードされるヒトMATERペプチドのアミノ酸配列を示す；
配列番号：3は、ヒトMater cDNA断片2の核酸配列を示す；
配列番号：4は、断片2（配列番号：3）によってコードされるヒトMATERペプチドのアミノ酸配列を示す；
配列番号：5は、マウスMater cDNA（GenBankアクセッション番号NM_011860.1およびAF074018；個々のエキソンはAF143559〜AF143573にも記載されている）の核酸配列を示す；
配列番号：6は、マウスMATERタンパク質（GenBankアクセッション番号NP_035990）のアミノ酸配列を示す；
配列番号：7〜22は、プローブおよび／またはプライマーとして有用な、いくつかの合成オリゴヌクレオチドを示す；
配列番号：23は、ヒトMater cDNAの核酸配列、およびコードされたアミノ酸配列を示す；
配列番号：24は、ヒトMATERタンパク質のアミノ酸配列を示す。
配列番号：25〜53は、ヒトMater遺伝子におけるイントロン-エキソン境界と一部重なるオリゴヌクレオチド配列である。本明細書でより完全に記載されるように、これらのオリゴヌクレオチドは順番に、エキソン1〜15を規定するスプライス・ジャンクションに対応する；
配列番号：54および55は、ヒトβアクチン特異的プライマーである。
配列番号：56および57は、ヒトMATER特異的プライマーである。
【手続補正６】
【補正対象書類名】明細書
【補正対象項目名】００８３
【補正方法】変更
【補正の内容】
【００８３】
他の態様は、異常MATER核酸と関連のある生物学的状態を被験者において検出する方法であり、その方法は、被験者からの臨床試料中の少なくとも一つのMATER核酸分子を、MATER特異的核酸結合因子を含む試薬と反応させて、MATER：因子複合体を形成し、その複合体を検出する段階を含む。この方法の具体的な例では、MATER特異的核酸結合因子は、例えばヒトMATERイントロン配列のうちの少なくとも10個の連続したヌクレオチドを含むような、MATERオリゴヌクレオチドである。一例として、そのMATERオリゴヌクレオチドの一部のものは、配列番号：25から53までの任意の一つに示される配列を含む。
【手続補正７】
【補正対象書類名】明細書
【補正対象項目名】００８６
【補正方法】変更
【補正の内容】
【００８６】
異常MATER核酸と関連性のある生物学的状態を被験者において検出する、提供された方法の代表的な例は、異常Mater核酸の検出に先立つMATER核酸のインビトロの増幅をさらに含む。インビトロの増幅は、MATERタンパク質コード配列由来の、少なくとも一つのオリゴヌクレオチド・プライマーを使用してインビトロで行うことができる。オリゴヌクレオチド・プライマーの具体的な例は、例えば配列番号：25から53までの任意の一つに示される、ヒトMATERのイントロン-エキソン境界の配列を含む。その他の態様は、それらの方法のいずれかで用いられるヌクレオチド・プライマーである。
【手続補正８】
【補正対象書類名】明細書
【補正対象項目名】００８７
【補正方法】変更
【補正の内容】
【００８７】
記載されている方法の特定の例では、MATER：因子複合体をヌクレオチド・ハイブリダイゼーションによって検出する。記載されている方法のうちいくつかにおいて、MATER：因子複合体を形成するために用いる因子は、標識ヌクレオチド・プローブである。そのようなプローブの代表的な例は、配列番号：25から53までの任意の一つに示される配列を含む。その他の態様は、それらの方法のいずれかで用いられる標識ヌクレオチド・プローブである。
【手続補正９】
【補正対象書類名】明細書
【補正対象項目名】００８８
【補正方法】変更
【補正の内容】
【００８８】
さらなる態様は、核酸試料中の遺伝子変異を検出するキットである。そのようなキットの一つは、MATER核酸と特異的にハイブリダイズすることのできるオリゴヌクレオチドであって、ヒトMATERイントロン由来の少なくとも10の連続するヌクレオチドを含む配列を有するオリゴヌクレオチドを含む、第一の容器；およびそのオリゴヌクレオチドと完全に相補的な蛍光標識核酸プローブを含む第二の容器を含む。これらのキットの例では、蛍光標識核酸プローブは、5から500ヌクレオチドの間の長さを有する。本明細書に提供されるキットの具体的な例は、配列番号：25から53までの任意の一つに示される配列を含む、オリゴヌクレオチドを含む。
【手続補正１０】
【補正対象書類名】明細書
【補正対象項目名】０１３８
【補正方法】変更
【補正の内容】
【０１３８】
対照として、図8Bに示されるように、ヒトβアクチン特異的プライマー（5'-GCATGGGTCAGAAGGAT-3'/3'-GTCCAGTAGTGGTAACC-5'；配列番号：54および55）を用い、25の組織およびヒト卵巣（レーン1〜25）に由来する全てのcDNAにおいて、ヒトβアクチンのPCR産物（640塩基対）を増幅した。対照的に、ヒトMATER特異的プライマー（5'-TGACTTCTGATTGCTGTGAGG-3'/ 3'-CTACTGGCCATGACCACCTT -5'；配列番号：56および57）を用いて、卵巣RNAから合成されたcDNAにおいてのみPCR産物（280塩基対）が生成された（図8C、レーン17および25）。
【手続補正１１】
【補正対象書類名】明細書
【補正対象項目名】０１９３
【補正方法】変更
【補正の内容】
【０１９３】
ヒトMATER cDNAおよび遺伝子の配列が得られた場合、それらの配列に由来するプライマーを、患者のゲノムMATER遺伝子の任意の部分における変異の存在を判定するための診断検査（以下に記載）に用いることが可能である。そのようなプライマーは、MATER遺伝子配列の断片（イントロン配列、エキソン配列、またはイントロンとエキソンの境界にまたがる配列）を含むオリゴヌクレオチドであると考えられ、MATER cDNAまたは遺伝子の少なくとも10個の連続したヌクレオチドを含みうる。このようなオリゴヌクレオチドの特異的な例には、配列番号：25〜53に記載の配列を含むものが含まれる。より長いプライマーを使用することにより、より高い特異性が得られる可能性があることが理解されると思われる。従って、より一層の特異性を得るために、使用されるプライマーは、特にイントロン-エキソン境界に部分的に重なる、MATER cDNAまたは遺伝子の15個、17個、20個、23個、25個、30個、40個、またはさらに50個の連続したヌクレオチドを含むことができる。さらに、MATERイントロン配列情報の提供により、ミスマッチ化学切断（Cottonら、Proc. Natl. Acd. Sci. USA 85：4397-4401、1985；Montandonら、Nucleic. Acids Res. 9：3347-3358、1989）および1本鎖DNA高次構造多型解析（Oritaら、Genomics 5：874-879、1989）のような方法を使用して、大きな、未だ行われていない患者材料の供給源についての変異解析が現在可能である。
【手続補正１２】
【補正対象書類名】明細書
【補正対象項目名】０２３８
【補正方法】変更
【補正の内容】
【０２３８】
または、生物試料から抽出されたDNAは直接増幅に用いることができる。ゲノムDNAからの直接的増幅は、オープン・リーディング・フレームの上流および下流に位置する調節配列またはイントロンとエキソンの境界（表2を参照）を含むMater遺伝子の全体を解析するために適当である。例として、イントロン-エキソン境界それ自体は、このような試料のインビトロ増幅において使用する、オリゴヌクレオチドプライマー（またはその一部）の配列として役立つ。このようなオリゴヌクレオチドの例は配列番号：25〜53に示す。直接的DNA診断についての総説は、Caskey（Science 236：1223-1228、1989）およびLandegrenら（Science 242：229-237、1989）によって記載されている。
【手続補正１３】
【補正対象書類名】明細書
【補正対象項目名】０２４１
【補正方法】変更
【補正の内容】
【０２４１】
特異的DNA変異の検出は、例えば対立遺伝子特異的オリゴヌクレオチド（ASO）を利用したハイブリダイゼーション法（Wallaceら、CSHL Symp. Quant. Biol. 51：257-261、1986）、イントロン-エキソン境界に特異的なオリゴヌクレオチドの利用（例えば、配列番号：25〜53のいずれか一つ）、直接DNA配列決定法（ChurchおよびGilbert、Proc. Natl. Acad. Sci USA 81：1991-1995、1988）、制限酵素の使用（Flavellら、Cell 15：25-41、1978；Geeverら、1981）、変性試薬を用いたゲル中での電気泳動移動度に基づく識別法（MyersおよびManiatis、Cold Spring Harbor Symp. Quant.Biol.51：275-284、1986）、RNアーゼ保護法（Myersら、Science 230：1242-1246、1985）、化学的切断法（Cottonら、Proc. Natl. Acad. Sci USA 85：4397-4401、1985）、およびリガーゼを介した検出手法（Landegrenら、Science 241：1077-1080、1988）などの方法によって行うことができる。
【手続補正１４】
【補正対象書類名】明細書
【補正対象項目名】０２９７
【補正方法】変更
【補正の内容】
【０２９７】
本開示は、上述のヒトMater分子を含む、MATER核酸およびタンパク質を提供する。本開示はさらにそれらの分子を使用する方法を提供するものであって、女性の不妊症、生殖能力低下、または生殖不全を予測および／または診断する方法に加えて、そのような不妊症および生殖能力低下の治療法、ならびに避妊薬を含む。記載された分子および方法の正確な詳細には変化があること、または低発現もしくは過剰発現もまた考慮されていることが明らかになると思われる。そのようなキットは、記載された発明の精神を逸脱することなく改変されたものを含むと思われる。本発明者らは、特許請求の範囲の範囲および趣旨に含まれるそのような改変および変形の全ての権利を主張するものである。
【配列表】
SEQUENCE LISTING
<110> THE GOVERNMENT OF THE UNITED STATES OF AMERICA, AS REPRESENTED BY THE SECRETARY, DEPARTMENT OF HEALTH & HUMAN SERVICES, THE NATIONAL INSTITUTES OF HEALTH
<120>  HUMAN GENE CRITICAL TO FERTILITY
<140>  JP   2002-579478   
<141>  2002-03-29
<150>  PCT/US01/10981
<151>  2001-04-04
<160>  57 
<170>  PatentIn version 3.0
<210>  1
<211>  1157
<212>  DNA
<213>  homo sapiens
<400>  1
caagctccgg tgacggagat catgtcccga ccagaaaggc tgttgttcat cattgacggt     60
ttcgatgacc tgggctctgt cctcaacaat gacacaaagc tctgcaaaga ctgggctgag    120
aagcagcctc cgttcaccct catacgcagt ctgctgagga aggtcctgct ccctgagtcc    180
ttcctgatcg tcaccgtcag agacgtgggc acagagaagc tcaagtcaga ggtcgtgtct    240
ccccgttacc tgttagttag aggaatctcc ggggaacaaa gaatccactt gctccttgag    300
cgcgggattg gtgagcatca gaagacacaa gggttgcgtg cgatcatgaa caaccgtgag    360
ctgctcgacc agtgccaggt gcccgccgtg ggctctctca tctgcgtggc cctgcagctg    420
caggacgtgg tgggggagag cgtcgccccc ttcaaccaaa cgctcacagg cctgcacgcc    480
gcttttgtgt ttcatcagct cacccctcga ggcgtggtcc ggcgctgtct caatctggag    540
gaaagagttg tcctgaagcg cttctgccgt atggctgtgg agggagtgtg gaataggaag    600
tcagtgtttg acggtgacga cctcatggtt caaggactcg gggagtctga gctccgtgct    660
ctgtttcaca tgaacatcct tctcccagac agccactgtg aggagtacta caccttcttc    720
cacctcagtc tccaggactt ctgtgccgcc ttgtactacg tgttagaggg cctggaaatc    780
gagccagctc tctgccctct gtacgttgag aagacaaaga ggtccatgga gcttaaacag    840
gcaggcttcc atatccactc gctttggatg aagcgtttct tgtttggcct cgtgagcgaa    900
gacgtaagga ggccactgga ggtcctgctg ggctgtcccg ttcccctggg ggtgaagcag    960
aagcttctgc actgggtctc tctgttgggt cagcagccta atgccaccac cccaggagac   1020
accctggacg ccttccactg tcttttcgag actcaagaca aagagtttgt tcgcttggca   1080
ttaaacagct tccaagaagt gtggcttccg attaaccaga acctggactt gatagcatct   1140
tccttctgcc tccagct                                                  1157
<210>  2
<211>  385
<212>  PRT
<213>  homo sapiens
<400>  2
Gln Ala Pro Val Thr Glu Ile Met Ser Arg Pro Glu Arg Leu Leu Phe 
1               5                   10                  15      
Ile Ile Asp Gly Phe Asp Asp Leu Gly Ser Val Leu Asn Asn Asp Thr 
20                  25                  30          
Lys Leu Cys Lys Asp Trp Ala Glu Lys Gln Pro Pro Phe Thr Leu Ile 
35                  40                  45              
Arg Ser Leu Leu Arg Lys Val Leu Leu Pro Glu Ser Phe Leu Ile Val 
50                  55                  60                  
Thr Val Arg Asp Val Gly Thr Glu Lys Leu Lys Ser Glu Val Val Ser 
65                  70                  75                  80  
Pro Arg Tyr Leu Leu Val Arg Gly Ile Ser Gly Glu Gln Arg Ile His 
85                  90                  95      
Leu Leu Leu Glu Arg Gly Ile Gly Glu His Gln Lys Thr Gln Gly Leu 
100                 105                 110         
Arg Ala Ile Met Asn Asn Arg Glu Leu Leu Asp Gln Cys Gln Val Pro 
115                 120                 125             
Ala Val Gly Ser Leu Ile Cys Val Ala Leu Gln Leu Gln Asp Val Val 
130                 135                 140                 
Gly Glu Ser Val Ala Pro Phe Asn Gln Thr Leu Thr Gly Leu His Ala 
145                 150                 155                 160 
Ala Phe Val Phe His Gln Leu Thr Pro Arg Gly Val Val Arg Arg Cys 
165                 170                 175     
Leu Asn Leu Glu Glu Arg Val Val Leu Lys Arg Phe Cys Arg Met Ala 
180                 185                 190         
Val Glu Gly Val Trp Asn Arg Lys Ser Val Phe Asp Gly Asp Asp Leu 
195                 200                 205             
Met Val Gln Gly Leu Gly Glu Ser Glu Leu Arg Ala Leu Phe His Met 
210                 215                 220                 
Asn Ile Leu Leu Pro Asp Ser His Cys Glu Glu Tyr Tyr Thr Phe Phe 
225                 230                 235                 240 
His Leu Ser Leu Gln Asp Phe Cys Ala Ala Leu Tyr Tyr Val Leu Glu 
245                 250                 255     
Gly Leu Glu Ile Glu Pro Ala Leu Cys Pro Leu Tyr Val Glu Lys Thr 
260                 265                 270         
Lys Arg Ser Met Glu Leu Lys Gln Ala Gly Phe His Ile His Ser Leu 
275                 280                 285             
Trp Met Lys Arg Phe Leu Phe Gly Leu Val Ser Glu Asp Val Arg Arg 
290                 295                 300                 
Pro Leu Glu Val Leu Leu Gly Cys Pro Val Pro Leu Gly Val Lys Gln 
305                 310                 315                 320 
Lys Leu Leu His Trp Val Ser Leu Leu Gly Gln Gln Pro Asn Ala Thr 
325                 330                 335     
Thr Pro Gly Asp Thr Leu Asp Ala Phe His Cys Leu Phe Glu Thr Gln 
340                 345                 350         
Asp Lys Glu Phe Val Arg Leu Ala Leu Asn Ser Phe Gln Glu Val Trp 
355                 360                 365             
Leu Pro Ile Asn Gln Asn Leu Asp Leu Ile Ala Ser Ser Phe Cys Leu 
370                 375                 380                 
Gln 
385 
<210>  3
<211>  1075
<212>  DNA
<213>  homo sapiens
<400>  3
tctggcctca gccctcgtca gcaaccggag cttgacacac ctgtgcctat ccaacaacag     60
cctggggaac gaaggtgtaa atctactgtg tcgatccatg aggcttcccc actgtagtct    120
gcagaggctg atgctgaatc agtgccacct ggacacggct ggctgtggtt ctcttgcact    180
tgcgcttatg ggtaactcat ggctgacgca cctgagcctt agcatgaacc ctgtggaaga    240
caatggcgtg aagcttctgt gcgaggtcat gagagaacca tcttgtcatc tccaggacct    300
ggagttggta aaatgtcatc tcaccgccgc gtgctgtgag agtctgtcct gtgtgatctc    360
gaggagcaga cacctgaaga gcctggatct cacggacaat gccctgggtg acggtggggt    420
tgctgcgctg tgcgagggac tgaagcaaaa gaacagtgtt ctgacgagac tcgggttgaa    480
ggcatgtgga ctgacttctg attgctgtga ggcactctcc ttggcccttt cctgcaaccg    540
gcatctgacc agtctaaacc tggtgcagaa taacttcagt cccaaaggaa tgatgaagct    600
gtgttcggcc tttgcctgtc ccacgtctaa cttacagata attgggctgt ggaaatggca    660
gtaccctgtg caaataagga agctgctgga ggaagtgcag ctactcaagc cccgagtcgt    720
aattgacggt agttggcatt cttttgatga agatgaccgg tactggtgga aaaactgaag    780
atacggaaac ctgccccact cacacccatc tgatggagga actttaaacg ctgttttctc    840
agagcaagct atgcacctgg gagttccttc tcaaagatgg agaatgattt ctgattctca    900
caaagccctc aatggtagtg attcttctgt gttcactcta cgttggttac tggatttgaa    960
ggctagagac cttcaagtca taggactcag tatctgtgaa atgtccgtca tatctcagag   1020
catatagagg gaattaaata aacacaaagc atttggaaaa aaaaaaaaaa aaaaa        1075
<210>  4
<211>  258
<212>  PRT
<213>  homo sapiens
<400>  4
Leu Ala Ser Ala Leu Val Ser Asn Arg Ser Leu Thr His Leu Cys Leu 
1               5                   10                  15      
Ser Asn Asn Ser Leu Gly Asn Glu Gly Val Asn Leu Leu Cys Arg Ser 
20                  25                  30          
Met Arg Leu Pro His Cys Ser Leu Gln Arg Leu Met Leu Asn Gln Cys 
35                  40                  45              
His Leu Asp Thr Ala Gly Cys Gly Ser Leu Ala Leu Ala Leu Met Gly 
50                  55                  60                  
Asn Ser Trp Leu Thr His Leu Ser Leu Ser Met Asn Pro Val Glu Asp 
65                  70                  75                  80  
Asn Gly Val Lys Leu Leu Cys Glu Val Met Arg Glu Pro Ser Cys His 
85                  90                  95      
Leu Gln Asp Leu Glu Leu Val Lys Cys His Leu Thr Ala Ala Cys Cys 
100                 105                 110         
Glu Ser Leu Ser Cys Val Ile Ser Arg Ser Arg His Leu Lys Ser Leu 
115                 120                 125             
Asp Leu Thr Asp Asn Ala Leu Gly Asp Gly Gly Val Ala Ala Leu Cys 
130                 135                 140                 
Glu Gly Leu Lys Gln Lys Asn Ser Val Leu Thr Arg Leu Gly Leu Lys 
145                 150                 155                 160 
Ala Cys Gly Leu Thr Ser Asp Cys Cys Glu Ala Leu Ser Leu Ala Leu 
165                 170                 175     
Ser Cys Asn Arg His Leu Thr Ser Leu Asn Leu Val Gln Asn Asn Phe 
180                 185                 190         
Ser Pro Lys Gly Met Met Lys Leu Cys Ser Ala Phe Ala Cys Pro Thr 
195                 200                 205             
Ser Asn Leu Gln Ile Ile Gly Leu Trp Lys Trp Gln Tyr Pro Val Gln 
210                 215                 220                 
Ile Arg Lys Leu Leu Glu Glu Val Gln Leu Leu Lys Pro Arg Val Val 
225                 230                 235                 240 
Ile Asp Gly Ser Trp His Ser Phe Asp Glu Asp Asp Arg Tyr Trp Trp 
245                 250                 255     
Lys Asn 
<210>  5
<211>  3447
<212>  DNA
<213>  Mus musculus
<400>  5
aaagcacaat gggtcctcca gaaaaagaaa gtaaagcaat cttgaaagca cgtggattgg     60
aagaggaaca gaagtcagaa agaaaaatga cttctccaga aaacgacagt aaatcaatcc    120
agaaagacca aggaccagag caggagcaga catcagaaag cacaatgggt cctccagaaa    180
aagacagtaa agcaatcttg aaagcacgtg gattggaaga ggaacagaag tcagaaagca    240
caatgtctcc ttcagaaaat gtcagtagag caatcctgaa agacagtgga tcagaagaag    300
tggaacaggc gtcagaaaga aaaatgactt ctccagaaaa cgacagtaaa tcaatccaga    360
aagaccaagg accagagcag gagcagacat cagaaacctt acaatctaag gaagaagatg    420
aagtgacaga ggcagataaa gataatggag gtgacttaca agactacaag gcccatgtga    480
ttgctaagtt cgacacaagt gtggatctac actatgacag cccagagatg aaattattgt    540
ctgatgcttt taaaccatac cagaaaacct tccagcctca caccattatc ctacatggaa    600
gaccaggagt tgggaagtca gctttggcca gaagtattgt tcttggctgg gcacagggta    660
aactcttcca aaaaatgtcc tttgtcatct tcttctctgt tagagaaata aagtggacag    720
agaagagcag tttggcacag ctgattgcta aggagtgtcc agactcctgg gatctagtga    780
caaagatcat gtcccaacca gaaagactct tgtttgtcat agatggcttg gatgatatgg    840
actctgtcct ccaacatgat gatatgacac tatccagaga ctggaaggat gaacagccca    900
tatacatcct gatgtacagc ctcctgagga aggctctctt acctcagtcc tttctcatca    960
ttaccaccag aaacacaggc ttagaaaaac tcaagtcaat ggttgtgtcc cccctctata   1020
tactggttga aggactgtct gcatcaagga gatctcagct ggtcctcgag aacatctcca   1080
atgagtctga tagaatacaa gtcttccatt ctctgataga aaatcaccag ctgtttgacc   1140
aatgccaggc cccctctgtg tgctccctgg tctgtgaggc tctacagcta cagaagaaac   1200
tgggaaagag atgcacccta ccctgccaga ctctcaccgg tttgtatgcc acgttggtgt   1260
ttcaccagct caccttgaaa aggccttccc agagcgctct cagtcaggaa gaacagatta   1320
ctctagtggg tttgtgcatg atggcagctg aaggagtgtg gaccatgagg tcggtgttct   1380
atgatgatga cctgaagaac tatagcctaa aggagtctga gatcttggcc ctctttcaca   1440
tgaacatcct tctccaggtt ggccacaaca gtgagcagtg ttatgttttc tcccacctca   1500
gcctgcagga tttctttgct gccttatatt atgttttaga agggctggag gaatggaatc   1560
agcatttttg cttcattgaa aaccaaagga gcatcatgga ggtgaagaga actgacgaca   1620
ctcgcctcct cgggatgaag cgtttcttat ttggcctcat gaacaaggat atcttgaaga   1680
ctctggaggt tctgtttgaa tatcccgtga ttccaactgt tgagcagaag ctccaacact   1740
gggtctctct gatagctcag caggtcaatg gcaccagccc aatggacacc ctggatgcct   1800
tctattgtct atttgagtct caggatgaag agtttgttgg cggggctctc aaacgcttcc   1860
aagaagtgtg gctgctgatt aaccagaaga tggacttgaa ggtctcttcc tactgtctca   1920
agcactgtca gaacttgaag gcaatccggg tggatatcag agacctcctc tcggtagata   1980
atactctcga gctgtgccct gttgttactg tccaggagac acaatgtaag cccctcctca   2040
tggagtggtg gggaaacttc tgctctgtgc ttggcagcct ccggaacttg aaggagctgg   2100
acttgggcga cagcatcctg agtcaacggg ccatgaagat actgtgcctc gagctgcgga   2160
atcagtcctg cagaatacag aagctgacgt ttaagagtgc agaggtagtg tctggcctga   2220
aacatctctg gaagctcctt tttagcaatc aaaacttaaa gtacctcaat ctagggaaca   2280
ctcccatgaa ggatgatgac atgaagttag cctgcgaagc gctgaaacat ccaaagtgct   2340
ccgtggagac tctgaggttg gattcctgtg agttaaccat cattggttat gagatgatct   2400
ccacgcttct tatttcaacc accaggctaa agtgtctcag cctggccaaa aatagagtgg   2460
gagtaaaaag catgatatcc cttgggaatg ccttgagtag ctcaatgtgt ctactgcaaa   2520
agttgatact ggacaactgt ggcctcacac ctgccagctg ccaccttctg gtctcagccc   2580
ttttcagcaa ccagaacttg acacacctgt gcctgtcaaa caacagcctg gggactgaag   2640
gagtgcaaca gctgtgtcag ttcctgagga atccagaatg tgctctccag cggctgatac   2700
tgaatcactg caacattgta gatgatgctt atggcttcct ggcaatgaga cttgcaaaca   2760
acacaaagct gacccacctg agcctgacca tgaaccccgt aggggatggt gcaatgaagc   2820
tactgtgtga agctttaaag gaacctactt gttaccttca agaactggaa ctagtggact   2880
gccaactcac acagaactgc tgcgaggacc tggcctgtat gatcacaaca accaagcact   2940
taaaaagttt ggatcttggt aacaacgccc tgggtgacaa aggagtcata accctgtgtg   3000
agggactgaa gcaaagtagc agctccctga ggagacttgg gttgggggca tgtaagttga   3060
cttccaattg ctgtgaggca ttgtcattgg ccatctcttg caaccctcac ctgaacagcc   3120
taaacctggt gaagaatgac ttcagtacat cggggatgtt gaagctgtgc tctgcgttcc   3180
aatgccctgt ctctaacctg gggataattg gcctgtggaa gcaggagtac tatgcccgag   3240
tgagaagaca gctggaggaa gttgagtttg tcaagcccca cgtggtgatt gatggtgatt   3300
ggtatgctag tgatgaagat gaccgaaact ggtggaaaaa ctgaagacat gagccccctc   3360
tccttcacgt cctagcactg cagtatctgt gaaatgtttg tctcaccttg gaggatgtag   3420
caagaatgaa ataaacacag catttag                                       3447
<210>  6
<211>  1111
<212>  PRT
<213>  Mus musculus
<400>  6
Met Gly Pro Pro Glu Lys Glu Ser Lys Ala Ile Leu Lys Ala Arg Gly 
1               5                   10                  15      
Leu Glu Glu Glu Gln Lys Ser Glu Arg Lys Met Thr Ser Pro Glu Asn 
20                  25                  30          
Asp Ser Lys Ser Ile Gln Lys Asp Gln Gly Pro Glu Gln Glu Gln Thr 
35                  40                  45              
Ser Glu Ser Thr Met Gly Pro Pro Glu Lys Asp Ser Lys Ala Ile Leu 
50                  55                  60                  
Lys Ala Arg Gly Leu Glu Glu Glu Gln Lys Ser Glu Ser Thr Met Ser 
65                  70                  75                  80  
Pro Ser Glu Asn Val Ser Arg Ala Ile Leu Lys Asp Ser Gly Ser Glu 
85                  90                  95      
Glu Val Glu Gln Ala Ser Glu Arg Lys Met Thr Ser Pro Glu Asn Asp 
100                 105                 110         
Ser Lys Ser Ile Gln Lys Asp Gln Gly Pro Glu Gln Glu Gln Thr Ser 
115                 120                 125             
Glu Thr Leu Gln Ser Lys Glu Glu Asp Glu Val Thr Glu Ala Asp Lys 
130                 135                 140                 
Asp Asn Gly Gly Asp Leu Gln Asp Tyr Lys Ala His Val Ile Ala Lys 
145                 150                 155                 160 
Phe Asp Thr Ser Val Asp Leu His Tyr Asp Ser Pro Glu Met Lys Leu 
165                 170                 175     
Leu Ser Asp Ala Phe Lys Pro Tyr Gln Lys Thr Phe Gln Pro His Thr 
180                 185                 190         
Ile Ile Leu His Gly Arg Pro Gly Val Gly Lys Ser Ala Leu Ala Arg 
195                 200                 205             
Ser Ile Val Leu Gly Trp Ala Gln Gly Lys Leu Phe Gln Lys Met Ser 
210                 215                 220                 
Phe Val Ile Phe Phe Ser Val Arg Glu Ile Lys Trp Thr Glu Lys Ser 
225                 230                 235                 240 
Ser Leu Ala Gln Leu Ile Ala Lys Glu Cys Pro Asp Ser Trp Asp Leu 
245                 250                 255     
Val Thr Lys Ile Met Ser Gln Pro Glu Arg Leu Leu Phe Val Ile Asp 
260                 265                 270         
Gly Leu Asp Asp Met Asp Ser Val Leu Gln His Asp Asp Met Thr Leu 
275                 280                 285             
Ser Arg Asp Trp Lys Asp Glu Gln Pro Ile Tyr Ile Leu Met Tyr Ser 
290                 295                 300                 
Leu Leu Arg Lys Ala Leu Leu Pro Gln Ser Phe Leu Ile Ile Thr Thr 
305                 310                 315                 320 
Arg Asn Thr Gly Leu Glu Lys Leu Lys Ser Met Val Val Ser Pro Leu 
325                 330                 335     
Tyr Ile Leu Val Glu Gly Leu Ser Ala Ser Arg Arg Ser Gln Leu Val 
340                 345                 350         
Leu Glu Asn Ile Ser Asn Glu Ser Asp Arg Ile Gln Val Phe His Ser 
355                 360                 365             
Leu Ile Glu Asn His Gln Leu Phe Asp Gln Cys Gln Ala Pro Ser Val 
370                 375                 380                 
Cys Ser Leu Val Cys Glu Ala Leu Gln Leu Gln Lys Lys Leu Gly Lys 
385                 390                 395                 400 
Arg Cys Thr Leu Pro Cys Gln Thr Leu Thr Gly Leu Tyr Ala Thr Leu 
405                 410                 415     
Val Phe His Gln Leu Thr Leu Lys Arg Pro Ser Gln Ser Ala Leu Ser 
420                 425                 430         
Gln Glu Glu Gln Ile Thr Leu Val Gly Leu Cys Met Met Ala Ala Glu 
435                 440                 445             
Gly Val Trp Thr Met Arg Ser Val Phe Tyr Asp Asp Asp Leu Lys Asn 
450                 455                 460                 
Tyr Ser Leu Lys Glu Ser Glu Ile Leu Ala Leu Phe His Met Asn Ile 
465                 470                 475                 480 
Leu Leu Gln Val Gly His Asn Ser Glu Gln Cys Tyr Val Phe Ser His 
485                 490                 495     
Leu Ser Leu Gln Asp Phe Phe Ala Ala Leu Tyr Tyr Val Leu Glu Gly 
500                 505                 510         
Leu Glu Glu Trp Asn Gln His Phe Cys Phe Ile Glu Asn Gln Arg Ser 
515                 520                 525             
Ile Met Glu Val Lys Arg Thr Asp Asp Thr Arg Leu Leu Gly Met Lys 
530                 535                 540                 
Arg Phe Leu Phe Gly Leu Met Asn Lys Asp Ile Leu Lys Thr Leu Glu 
545                 550                 555                 560 
Val Leu Phe Glu Tyr Pro Val Ile Pro Thr Val Glu Gln Lys Leu Gln 
565                 570                 575     
His Trp Val Ser Leu Ile Ala Gln Gln Val Asn Gly Thr Ser Pro Met 
580                 585                 590         
Asp Thr Leu Asp Ala Phe Tyr Cys Leu Phe Glu Ser Gln Asp Glu Glu 
595                 600                 605             
Phe Val Gly Gly Ala Leu Lys Arg Phe Gln Glu Val Trp Leu Leu Ile 
610                 615                 620                 
Asn Gln Lys Met Asp Leu Lys Val Ser Ser Tyr Cys Leu Lys His Cys 
625                 630                 635                 640 
Gln Asn Leu Lys Ala Ile Arg Val Asp Ile Arg Asp Leu Leu Ser Val 
645                 650                 655     
Asp Asn Thr Leu Glu Leu Cys Pro Val Val Thr Val Gln Glu Thr Gln 
660                 665                 670         
Cys Lys Pro Leu Leu Met Glu Trp Trp Gly Asn Phe Cys Ser Val Leu 
675                 680                 685             
Gly Ser Leu Arg Asn Leu Lys Glu Leu Asp Leu Gly Asp Ser Ile Leu 
690                 695                 700                 
Ser Gln Arg Ala Met Lys Ile Leu Cys Leu Glu Leu Arg Asn Gln Ser 
705                 710                 715                 720 
Cys Arg Ile Gln Lys Leu Thr Phe Lys Ser Ala Glu Val Val Ser Gly 
725                 730                 735     
Leu Lys His Leu Trp Lys Leu Leu Phe Ser Asn Gln Asn Leu Lys Tyr 
740                 745                 750         
Leu Asn Leu Gly Asn Thr Pro Met Lys Asp Asp Asp Met Lys Leu Ala 
755                 760                 765             
Cys Glu Ala Leu Lys His Pro Lys Cys Ser Val Glu Thr Leu Arg Leu 
770                 775                 780                 
Asp Ser Cys Glu Leu Thr Ile Ile Gly Tyr Glu Met Ile Ser Thr Leu 
785                 790                 795                 800 
Leu Ile Ser Thr Thr Arg Leu Lys Cys Leu Ser Leu Ala Lys Asn Arg 
805                 810                 815     
Val Gly Val Lys Ser Met Ile Ser Leu Gly Asn Ala Leu Ser Ser Ser 
820                 825                 830         
Met Cys Leu Leu Gln Lys Leu Ile Leu Asp Asn Cys Gly Leu Thr Pro 
835                 840                 845             
Ala Ser Cys His Leu Leu Val Ser Ala Leu Phe Ser Asn Gln Asn Leu 
850                 855                 860                 
Thr His Leu Cys Leu Ser Asn Asn Ser Leu Gly Thr Glu Gly Val Gln 
865                 870                 875                 880 
Gln Leu Cys Gln Phe Leu Arg Asn Pro Glu Cys Ala Leu Gln Arg Leu 
885                 890                 895     
Ile Leu Asn His Cys Asn Ile Val Asp Asp Ala Tyr Gly Phe Leu Ala 
900                 905                 910         
Met Arg Leu Ala Asn Asn Thr Lys Leu Thr His Leu Ser Leu Thr Met 
915                 920                 925             
Asn Pro Val Gly Asp Gly Ala Met Lys Leu Leu Cys Glu Ala Leu Lys 
930                 935                 940                 
Glu Pro Thr Cys Tyr Leu Gln Glu Leu Glu Leu Val Asp Cys Gln Leu 
945                 950                 955                 960 
Thr Gln Asn Cys Cys Glu Asp Leu Ala Cys Met Ile Thr Thr Thr Lys 
965                 970                 975     
His Leu Lys Ser Leu Asp Leu Gly Asn Asn Ala Leu Gly Asp Lys Gly 
980                 985                 990         
Val Ile Thr Leu Cys Glu Gly Leu  Lys Gln Ser Ser Ser  Ser Leu Arg 
995                 1000                 1005             
Arg Leu  Gly Leu Gly Ala Cys  Lys Leu Thr Ser Asn  Cys Cys Glu 
1010                 1015                 1020             
Ala Leu  Ser Leu Ala Ile Ser  Cys Asn Pro His Leu  Asn Ser Leu 
1025                 1030                 1035             
Asn Leu  Val Lys Asn Asp Phe  Ser Thr Ser Gly Met  Leu Lys Leu 
1040                 1045                 1050             
Cys Ser  Ala Phe Gln Cys Pro  Val Ser Asn Leu Gly  Ile Ile Gly 
1055                 1060                 1065             
Leu Trp  Lys Gln Glu Tyr Tyr  Ala Arg Val Arg Arg  Gln Leu Glu 
1070                 1075                 1080             
Glu Val  Glu Phe Val Lys Pro  His Val Val Ile Asp  Gly Asp Trp 
1085                 1090                 1095             
Tyr Ala  Ser Asp Glu Asp Asp  Arg Asn Trp Trp Lys  Asn 
1100                 1105                 1110     
<210>  7
<211>  22
<212>  DNA
<213>  Artificial Sequence
<220>
<223>  synthetic oligonucleotide
<400>  7
tttcacatga acatccttct cc                                              22
<210>  8
<211>  21
<212>  DNA
<213>  Artificial Sequence
<220>
<223>  synthetic oligonucleotide
<400>  8
agtgctggag gcagaaggaa g                                               21
<210>  9
<211>  26
<212>  DNA
<213>  Artificial Sequence
<220>
<223>  synthetic oligonucleotide
<400>  9
caggaattgg gaaatcggct ctctag                                          26
<210>  10
<211>  27
<212>  DNA
<213>  Artificial Sequence
<220>
<223>  synthetic oligonucleotide
<400>  10
ccaaatgctt tgtgtttatt taattcc                                         27
<210>  11
<211>  19
<212>  DNA
<213>  Artificial Sequence
<220>
<223>  synthetic oligonucleotide
<400>  11
cggaattcgt cactcagcg                                                  19
<210>  12
<211>  18
<212>  DNA
<213>  Artificial Sequence
<220>
<223>  synthetic oligonucleotide
<400>  12
agcgcgtgaa tcagatcg                                                   18
<210>  13
<211>  24
<212>  DNA
<213>  Artificial Sequence
<220>
<223>  synthetic oligonucleotide
<400>  13
attccctggt agagtccacc ttgc                                            24
<210>  14
<211>  24
<212>  DNA
<213>  Artificial Sequence
<220>
<223>  synthetic oligonucleotide
<400>  14
acagcacgat ccttctggct agag                                            24
<210>  15
<211>  23
<212>  DNA
<213>  Artificial Sequence
<220>
<223>  synthetic oligonucleotide
<400>  15
caagctccgg tgacggagat cat                                             23
<210>  16
<211>  22
<212>  DNA
<213>  Artificial Sequence
<220>
<223>  synthetic oligonucleotide
<400>  16
agctggaggc agaaggaaga tg                                              22
<210>  17
<211>  27
<212>  DNA
<213>  Artificial Sequence
<220>
<223>  synthetic oligonucleotide
<400>  17
tctggcctca gccctcgtca gcttgac                                         27
<210>  18
<211>  27
<212>  DNA
<213>  Artificial Sequence
<220>
<223>  synthetic oligonucleotide
<400>  18
ccaaatgctt tgtgtttatt taattcc                                         27
<210>  19
<211>  21
<212>  DNA
<213>  Artificial Sequence
<220>
<223>  synthetic oligonucleotide
<400>  19
tctggcctca gccctcgtca g                                               21
<210>  20
<211>  21
<212>  DNA
<213>  Artificial Sequence
<220>
<223>  synthetic oligonucleotide
<400>  20
actgaagtta ttctgcacca g                                               21
<210>  21
<211>  20
<212>  DNA
<213>  Artificial Sequence
<220>
<223>  synthetic oligonucleotide
<400>  21
tgacttctga ttgctgtgag                                                 20
<210>  22
<211>  20
<212>  DNA
<213>  Artificial Sequence
<220>
<223>  synthetic oligonucleotide
<400>  22
ttccaccagt accggtcatc                                                 20
<210>  23
<211>  3900
<212>  DNA
<213>  homo sapiens
<220>
<221>  CDS
<222>  (1)..(3600)
<400>  23
atg aag gtt gca gga gga ctt gaa ctt gga gct gct gct ctg ctc tca       48
Met Lys Val Ala Gly Gly Leu Glu Leu Gly Ala Ala Ala Leu Leu Ser         
1               5                   10                  15              
gca tca cca cgt gct ctt gtc act ctt tcc aca ggt cct act tgc tct       96
Ala Ser Pro Arg Ala Leu Val Thr Leu Ser Thr Gly Pro Thr Cys Ser         
20                  25                  30                  
ata tta cca aag aat cca ctt ttc ccc caa aac ctg agc tct cag cct      144
Ile Leu Pro Lys Asn Pro Leu Phe Pro Gln Asn Leu Ser Ser Gln Pro         
35                  40                  45                      
tgt atc aag atg gaa gga gac aaa tcg ctc acc ttt tcc agc tac ggg      192
Cys Ile Lys Met Glu Gly Asp Lys Ser Leu Thr Phe Ser Ser Tyr Gly         
50                  55                  60                          
ctg caa tgg tgt ctc tat gag cta gac aag gaa gaa ttt cag aca ttc      240
Leu Gln Trp Cys Leu Tyr Glu Leu Asp Lys Glu Glu Phe Gln Thr Phe         
65                  70                  75                  80          
aag gaa tta cta aag aag aaa tct tca gaa tcg acc aca tgc tct att      288
Lys Glu Leu Leu Lys Lys Lys Ser Ser Glu Ser Thr Thr Cys Ser Ile         
85                  90                  95              
cca cag ttt gaa atc gag aat gcc aac gtg gaa tgt ctg gca ctc ctc      336
Pro Gln Phe Glu Ile Glu Asn Ala Asn Val Glu Cys Leu Ala Leu Leu         
100                 105                 110                 
ttg cat gag tat tat gga gca tcg ctg gcc tgg gct acg tcc att agc      384
Leu His Glu Tyr Tyr Gly Ala Ser Leu Ala Trp Ala Thr Ser Ile Ser         
115                 120                 125                     
atc ttt gaa aac atg aac ctg cga acc ctc tcg gag aag gca cgg gat      432
Ile Phe Glu Asn Met Asn Leu Arg Thr Leu Ser Glu Lys Ala Arg Asp         
130                 135                 140                         
gac atg aaa aga cat tca cca gaa gat cct gaa gca acg atg act gac      480
Asp Met Lys Arg His Ser Pro Glu Asp Pro Glu Ala Thr Met Thr Asp         
145                 150                 155                 160         
caa gga cca agc aag gaa aaa gtg cca gga att tca caa gct gtg caa      528
Gln Gly Pro Ser Lys Glu Lys Val Pro Gly Ile Ser Gln Ala Val Gln         
165                 170                 175             
caa gat agt gcc aca gct gca gag aca aaa gaa cag gaa att tca caa      576
Gln Asp Ser Ala Thr Ala Ala Glu Thr Lys Glu Gln Glu Ile Ser Gln         
180                 185                 190                 
gct atg gaa caa gaa ggt gcc aca gca gca gag aca gaa gaa caa gaa      624
Ala Met Glu Gln Glu Gly Ala Thr Ala Ala Glu Thr Glu Glu Gln Glu         
195                 200                 205                     
att tca caa gct atg gaa caa gaa ggt gcc aca gca gca gag aca gaa      672
Ile Ser Gln Ala Met Glu Gln Glu Gly Ala Thr Ala Ala Glu Thr Glu         
210                 215                 220                         
gaa caa gga cat gga ggt gac aca tgg gac tac aag agt cac gtg atg      720
Glu Gln Gly His Gly Gly Asp Thr Trp Asp Tyr Lys Ser His Val Met         
225                 230                 235                 240         
acc aaa ttc gct gag gag gag gat gta cgt cgt agt ttt gaa aac act      768
Thr Lys Phe Ala Glu Glu Glu Asp Val Arg Arg Ser Phe Glu Asn Thr         
245                 250                 255             
gct gct gac tgg ccg gaa atg caa acg ttg gct ggt gct ttt gat tca      816
Ala Ala Asp Trp Pro Glu Met Gln Thr Leu Ala Gly Ala Phe Asp Ser         
260                 265                 270                 
gac cgg tgg ggc ttc cgg cct cgc acg gtg gtt ctg cac gga aag tca      864
Asp Arg Trp Gly Phe Arg Pro Arg Thr Val Val Leu His Gly Lys Ser         
275                 280                 285                     
gga att ggg aaa tcg gct cta gcc aga agg atc gtg ctg tgc tgg gcg      912
Gly Ile Gly Lys Ser Ala Leu Ala Arg Arg Ile Val Leu Cys Trp Ala         
290                 295                 300                         
caa ggt gga ctc tac cag gga atg ttc tcc tac gtc ttc ttc ctc ccc      960
Gln Gly Gly Leu Tyr Gln Gly Met Phe Ser Tyr Val Phe Phe Leu Pro         
305                 310                 315                 320         
gtt aga gag atg cag cgg aag aag gag agc agt gtc aca gag ttc atc     1008
Val Arg Glu Met Gln Arg Lys Lys Glu Ser Ser Val Thr Glu Phe Ile         
325                 330                 335             
tcc agg gag tgg cca gac tcc cag gct ccg gtg acg gag atc atg tcc     1056
Ser Arg Glu Trp Pro Asp Ser Gln Ala Pro Val Thr Glu Ile Met Ser         
340                 345                 350                 
cga cca gaa agg ctg ttg ttc atc att gac ggt ttc gat gac ctg ggc     1104
Arg Pro Glu Arg Leu Leu Phe Ile Ile Asp Gly Phe Asp Asp Leu Gly         
355                 360                 365                     
tct gtc ctc aac aat gac aca aag ctc tgc aaa gac tgg gct gag aag     1152
Ser Val Leu Asn Asn Asp Thr Lys Leu Cys Lys Asp Trp Ala Glu Lys         
370                 375                 380                         
cag cct ccg ttc acc ctc ata cgc agt ctg ctg agg aag gtc ctg ctc     1200
Gln Pro Pro Phe Thr Leu Ile Arg Ser Leu Leu Arg Lys Val Leu Leu         
385                 390                 395                 400         
cct gag tcc ttc ctg atc gtc acc gtc aga gac gtg ggc aca gag aag     1248
Pro Glu Ser Phe Leu Ile Val Thr Val Arg Asp Val Gly Thr Glu Lys         
405                 410                 415             
ctc aag tca gag gtc gtg tct ccc cgt tac ctg tta gtt aga gga atc     1296
Leu Lys Ser Glu Val Val Ser Pro Arg Tyr Leu Leu Val Arg Gly Ile         
420                 425                 430                 
tcc ggg gaa caa aga atc cac ttg ctc ctt gag cgc ggg att ggt gag     1344
Ser Gly Glu Gln Arg Ile His Leu Leu Leu Glu Arg Gly Ile Gly Glu         
435                 440                 445                     
cat cag aag aca caa ggg ttg cgt gcg atc atc aac aac cgt gag ctg     1392
His Gln Lys Thr Gln Gly Leu Arg Ala Ile Ile Asn Asn Arg Glu Leu         
450                 455                 460                         
ctc gac cag tgc cag gtg ccc gcc gtg ggc tct ctc atc tgc gtg gcc     1440
Leu Asp Gln Cys Gln Val Pro Ala Val Gly Ser Leu Ile Cys Val Ala         
465                 470                 475                 480         
ctg cag ctg cag gac gtg gtg ggg gag agc gtc gcc ccc ttc aac caa     1488
Leu Gln Leu Gln Asp Val Val Gly Glu Ser Val Ala Pro Phe Asn Gln         
485                 490                 495             
acg ctc aca ggc ctg cac gcc gct ttt gcg ttt cat cag ctc acc cct     1536
Thr Leu Thr Gly Leu His Ala Ala Phe Ala Phe His Gln Leu Thr Pro         
500                 505                 510                 
cga ggc gtg gtc cgg cgc tgt ctc aat ctg gag gaa aga gtt gtc ctg     1584
Arg Gly Val Val Arg Arg Cys Leu Asn Leu Glu Glu Arg Val Val Leu         
515                 520                 525                     
aag cgc ttc tgc cgt atg gct gtg gag gga gtg tgg aat agg aag tca     1632
Lys Arg Phe Cys Arg Met Ala Val Glu Gly Val Trp Asn Arg Lys Ser         
530                 535                 540                         
gtg ttt gat ggt gac gac ctc atg gtt caa gga ctc ggg gag tct gag     1680
Val Phe Asp Gly Asp Asp Leu Met Val Gln Gly Leu Gly Glu Ser Glu         
545                 550                 555                 560         
ctc cgt gct ctg ttt cac atg aac atc ctt ctc cca gac agc cac tgt     1728
Leu Arg Ala Leu Phe His Met Asn Ile Leu Leu Pro Asp Ser His Cys         
565                 570                 575             
gag gag tac tac acc ttc ttc cac ctc agt ctc cag gac ttc tgt gcc     1776
Glu Glu Tyr Tyr Thr Phe Phe His Leu Ser Leu Gln Asp Phe Cys Ala         
580                 585                 590                 
gcc ttg tac tac gtg tta gag ggc ctg gaa atc gag cca gct ctc tgc     1824
Ala Leu Tyr Tyr Val Leu Glu Gly Leu Glu Ile Glu Pro Ala Leu Cys         
595                 600                 605                     
cct ctg tac gtt gag aag aca aag agg tcc atg gag ctt aaa cag gca     1872
Pro Leu Tyr Val Glu Lys Thr Lys Arg Ser Met Glu Leu Lys Gln Ala         
610                 615                 620                         
ggc ttc cat atc cac tcg ctt tgg atg aag cgt ttc ttg ttt ggc ctc     1920
Gly Phe His Ile His Ser Leu Trp Met Lys Arg Phe Leu Phe Gly Leu         
625                 630                 635                 640         
gtg agc gaa gac gta agg agg cca ctg gag gtc ctg ctg ggc tgt ccc     1968
Val Ser Glu Asp Val Arg Arg Pro Leu Glu Val Leu Leu Gly Cys Pro         
645                 650                 655             
gtt ccc ctg ggg gtg aag cag aag ctt ctg cac tgg gtc tct ctg ttg     2016
Val Pro Leu Gly Val Lys Gln Lys Leu Leu His Trp Val Ser Leu Leu         
660                 665                 670                 
ggt cag cag cct aat gcc acc acc cca gga gac acc ctg gac gcc ttc     2064
Gly Gln Gln Pro Asn Ala Thr Thr Pro Gly Asp Thr Leu Asp Ala Phe         
675                 680                 685                     
cac tgt ctt ttc gag act caa gac aaa gag ttt gtt cgc ttg gca tta     2112
His Cys Leu Phe Glu Thr Gln Asp Lys Glu Phe Val Arg Leu Ala Leu         
690                 695                 700                         
aac agc ttc caa gaa gtg tgg ctt ccg att aac cag aac ctg gac ttg     2160
Asn Ser Phe Gln Glu Val Trp Leu Pro Ile Asn Gln Asn Leu Asp Leu         
705                 710                 715                 720         
ata gca tct tcc ttc tgc ctc cag cac tgt ccg tat ttg cgg aaa att     2208
Ile Ala Ser Ser Phe Cys Leu Gln His Cys Pro Tyr Leu Arg Lys Ile         
725                 730                 735             
cgg gtg gat gtc aaa ggg atc ttc cca aga gat gag tcc gct gag gca     2256
Arg Val Asp Val Lys Gly Ile Phe Pro Arg Asp Glu Ser Ala Glu Ala         
740                 745                 750                 
tgt cct gtg gtc cct cta tgg atg cgg gat aag acc ctc att gag gag     2304
Cys Pro Val Val Pro Leu Trp Met Arg Asp Lys Thr Leu Ile Glu Glu         
755                 760                 765                     
cag tgg gaa gat ttc tgc tcc atg ctt ggc acc cac cca cac ctg cgg     2352
Gln Trp Glu Asp Phe Cys Ser Met Leu Gly Thr His Pro His Leu Arg         
770                 775                 780                         
cag ctg gac ctg ggc agc agc atc ctg aca gag cgg gcc atg aag acc     2400
Gln Leu Asp Leu Gly Ser Ser Ile Leu Thr Glu Arg Ala Met Lys Thr         
785                 790                 795                 800         
ctg tgt gcc aag ctg agg cat ccc acc tgc aag ata cag acc ctg atg     2448
Leu Cys Ala Lys Leu Arg His Pro Thr Cys Lys Ile Gln Thr Leu Met         
805                 810                 815             
ttt aga aat gca cag att acc cct ggt gtg caa cac ctc tgg aga atc     2496
Phe Arg Asn Ala Gln Ile Thr Pro Gly Val Gln His Leu Trp Arg Ile         
820                 825                 830                 
gtc atg gcc aac cgt aac cta aga tcc ctc aac ttg gga ggc acc cac     2544
Val Met Ala Asn Arg Asn Leu Arg Ser Leu Asn Leu Gly Gly Thr His         
835                 840                 845                     
ctg aag gaa gag gat gta agg atg gcg tgt gaa gcc tta aaa cac cca     2592
Leu Lys Glu Glu Asp Val Arg Met Ala Cys Glu Ala Leu Lys His Pro         
850                 855                 860                         
aaa tgt ttg ttg gag tct ttg agg ctg gat tgc tgt gga ttg acc cat     2640
Lys Cys Leu Leu Glu Ser Leu Arg Leu Asp Cys Cys Gly Leu Thr His         
865                 870                 875                 880         
gcc tgt tac ctg aag atc tcc caa atc ctt acg acc tcc ccc agc ctg     2688
Ala Cys Tyr Leu Lys Ile Ser Gln Ile Leu Thr Thr Ser Pro Ser Leu         
885                 890                 895             
aaa tct ctg agc ctg gca gga aac aag gtg aca gac cag gga gta acg     2736
Lys Ser Leu Ser Leu Ala Gly Asn Lys Val Thr Asp Gln Gly Val Thr         
900                 905                 910                 
cct ctc agt gat gcc ttg agg gtc tcc cag tgc gcc ctg cag aag ctg     2784
Pro Leu Ser Asp Ala Leu Arg Val Ser Gln Cys Ala Leu Gln Lys Leu         
915                 920                 925                     
ata ctg gag gac tgt ggc atc aca gcc acg ggt tgc cag agt ctg gcc     2832
Ile Leu Glu Asp Cys Gly Ile Thr Ala Thr Gly Cys Gln Ser Leu Ala         
930                 935                 940                         
tca gcc ctc gtc agc aac cgg agc ttg aca cac ctg tgc cta tcc aac     2880
Ser Ala Leu Val Ser Asn Arg Ser Leu Thr His Leu Cys Leu Ser Asn         
945                 950                 955                 960         
aac agc ctg ggg aac gaa ggt gta aat cta ctg tgt cga tcc atg agg     2928
Asn Ser Leu Gly Asn Glu Gly Val Asn Leu Leu Cys Arg Ser Met Arg         
965                 970                 975             
ctt ccc cac tgt agt ctg cag agg ctg atg ctg aat cag tgc cac ctg     2976
Leu Pro His Cys Ser Leu Gln Arg Leu Met Leu Asn Gln Cys His Leu         
980                 985                 990                 
gac acg gct ggc tgt ggt tct ctt  gca ctt gcg ctt atg  ggt aac tca   3024
Asp Thr Ala Gly Cys Gly Ser Leu  Ala Leu Ala Leu Met  Gly Asn Ser       
995                 1000                 1005                   
tgg ctg  acg cac ctg agc ctt  agc atg aac cct gtg  gaa gac aat      3069
Trp Leu  Thr His Leu Ser Leu  Ser Met Asn Pro Val  Glu Asp Asn          
1010                 1015                 1020                      
ggc gtg  aag ctt ctg tgc gag  gtc atg aga gaa cca  tct tgt cat      3114
Gly Val  Lys Leu Leu Cys Glu  Val Met Arg Glu Pro  Ser Cys His          
1025                 1030                 1035                      
ctc cag  gac ctg gag ttg gta  aag tgt cat ctc acc  gcc gcg tgc      3159
Leu Gln  Asp Leu Glu Leu Val  Lys Cys His Leu Thr  Ala Ala Cys          
1040                 1045                 1050                      
tgt gag  agt ctg tcc tgt gtg  atc tcg agg agc aga  cac ctg aag      3204
Cys Glu  Ser Leu Ser Cys Val  Ile Ser Arg Ser Arg  His Leu Lys          
1055                 1060                 1065                      
agc ctg  gat ctc acg gac aat  gcc ctg ggt gac ggt  ggg gtt gct      3249
Ser Leu  Asp Leu Thr Asp Asn  Ala Leu Gly Asp Gly  Gly Val Ala          
1070                 1075                 1080                      
gcg ctg  tgc gag gga ctg aag  caa aag aac agt gtt  ctg acg aga      3294
Ala Leu  Cys Glu Gly Leu Lys  Gln Lys Asn Ser Val  Leu Thr Arg          
1085                 1090                 1095                      
ctc ggg  ttg aag gca tgt gga  ctg act tct gat tgc  tgt gag gca      3339
Leu Gly  Leu Lys Ala Cys Gly  Leu Thr Ser Asp Cys  Cys Glu Ala          
1100                 1105                 1110                      
ctc tcc  ttg gcc ctt tcc tgc  aac cgg cat ctg acc  agt cta aac      3384
Leu Ser  Leu Ala Leu Ser Cys  Asn Arg His Leu Thr  Ser Leu Asn          
1115                 1120                 1125                      
ctg gtg  cag aat aac ttc agt  ccc aaa gga atg atg  aag ctg tgt      3429
Leu Val  Gln Asn Asn Phe Ser  Pro Lys Gly Met Met  Lys Leu Cys          
1130                 1135                 1140                      
tcg gcc  ttt gcc tgt ccc acg  tct aac tta cag ata  att ggg ctg      3474
Ser Ala  Phe Ala Cys Pro Thr  Ser Asn Leu Gln Ile  Ile Gly Leu          
1145                 1150                 1155                      
tgg aaa  tgg cag tac cct gtg  caa ata agg aag ctg  ctg gag gaa      3519
Trp Lys  Trp Gln Tyr Pro Val  Gln Ile Arg Lys Leu  Leu Glu Glu          
1160                 1165                 1170                      
gtg cag  cta ctc aag ccc cga  gtc gta att gac ggt  agt tgg cat      3564
Val Gln  Leu Leu Lys Pro Arg  Val Val Ile Asp Gly  Ser Trp His          
1175                 1180                 1185                      
tct ttt  gat gaa gat gac cgg  tac tgg tgg aaa aac  tgaagatacg       3610
Ser Phe  Asp Glu Asp Asp Arg  Tyr Trp Trp Lys Asn                       
1190                 1195                 1200                      
gaaacctgcc ccactcacac ccatctgatg gaggaacttt aaacgctgtt ttctcagagc   3670
aagctatgca cctgggagtt ccttctcaaa gatggagaat gatttctgat tctcacaaag   3730
ccctcaatgg tagtgattct tctgtgttca ctctacgttg gttactggat ttgaaggcta   3790
gagaccttca agtcatagga ctcagtatct gtgaaatgtc cgtcatatct cagagcatat   3850
agagggaatt aaataaacac aaagcatttg gaaaaaaaaa aaaaaaaaaa              3900
<210>  24
<211>  1200
<212>  PRT
<213>  homo sapiens
<400>  24
Met Lys Val Ala Gly Gly Leu Glu Leu Gly Ala Ala Ala Leu Leu Ser 
1               5                   10                  15      
Ala Ser Pro Arg Ala Leu Val Thr Leu Ser Thr Gly Pro Thr Cys Ser 
20                  25                  30          
Ile Leu Pro Lys Asn Pro Leu Phe Pro Gln Asn Leu Ser Ser Gln Pro 
35                  40                  45              
Cys Ile Lys Met Glu Gly Asp Lys Ser Leu Thr Phe Ser Ser Tyr Gly 
50                  55                  60                  
Leu Gln Trp Cys Leu Tyr Glu Leu Asp Lys Glu Glu Phe Gln Thr Phe 
65                  70                  75                  80  
Lys Glu Leu Leu Lys Lys Lys Ser Ser Glu Ser Thr Thr Cys Ser Ile 
85                  90                  95      
Pro Gln Phe Glu Ile Glu Asn Ala Asn Val Glu Cys Leu Ala Leu Leu 
100                 105                 110         
Leu His Glu Tyr Tyr Gly Ala Ser Leu Ala Trp Ala Thr Ser Ile Ser 
115                 120                 125             
Ile Phe Glu Asn Met Asn Leu Arg Thr Leu Ser Glu Lys Ala Arg Asp 
130                 135                 140                 
Asp Met Lys Arg His Ser Pro Glu Asp Pro Glu Ala Thr Met Thr Asp 
145                 150                 155                 160 
Gln Gly Pro Ser Lys Glu Lys Val Pro Gly Ile Ser Gln Ala Val Gln 
165                 170                 175     
Gln Asp Ser Ala Thr Ala Ala Glu Thr Lys Glu Gln Glu Ile Ser Gln 
180                 185                 190         
Ala Met Glu Gln Glu Gly Ala Thr Ala Ala Glu Thr Glu Glu Gln Glu 
195                 200                 205             
Ile Ser Gln Ala Met Glu Gln Glu Gly Ala Thr Ala Ala Glu Thr Glu 
210                 215                 220                 
Glu Gln Gly His Gly Gly Asp Thr Trp Asp Tyr Lys Ser His Val Met 
225                 230                 235                 240 
Thr Lys Phe Ala Glu Glu Glu Asp Val Arg Arg Ser Phe Glu Asn Thr 
245                 250                 255     
Ala Ala Asp Trp Pro Glu Met Gln Thr Leu Ala Gly Ala Phe Asp Ser 
260                 265                 270         
Asp Arg Trp Gly Phe Arg Pro Arg Thr Val Val Leu His Gly Lys Ser 
275                 280                 285             
Gly Ile Gly Lys Ser Ala Leu Ala Arg Arg Ile Val Leu Cys Trp Ala 
290                 295                 300                 
Gln Gly Gly Leu Tyr Gln Gly Met Phe Ser Tyr Val Phe Phe Leu Pro 
305                 310                 315                 320 
Val Arg Glu Met Gln Arg Lys Lys Glu Ser Ser Val Thr Glu Phe Ile 
325                 330                 335     
Ser Arg Glu Trp Pro Asp Ser Gln Ala Pro Val Thr Glu Ile Met Ser 
340                 345                 350         
Arg Pro Glu Arg Leu Leu Phe Ile Ile Asp Gly Phe Asp Asp Leu Gly 
355                 360                 365             
Ser Val Leu Asn Asn Asp Thr Lys Leu Cys Lys Asp Trp Ala Glu Lys 
370                 375                 380                 
Gln Pro Pro Phe Thr Leu Ile Arg Ser Leu Leu Arg Lys Val Leu Leu 
385                 390                 395                 400 
Pro Glu Ser Phe Leu Ile Val Thr Val Arg Asp Val Gly Thr Glu Lys 
405                 410                 415     
Leu Lys Ser Glu Val Val Ser Pro Arg Tyr Leu Leu Val Arg Gly Ile 
420                 425                 430         
Ser Gly Glu Gln Arg Ile His Leu Leu Leu Glu Arg Gly Ile Gly Glu 
435                 440                 445             
His Gln Lys Thr Gln Gly Leu Arg Ala Ile Ile Asn Asn Arg Glu Leu 
450                 455                 460                 
Leu Asp Gln Cys Gln Val Pro Ala Val Gly Ser Leu Ile Cys Val Ala 
465                 470                 475                 480 
Leu Gln Leu Gln Asp Val Val Gly Glu Ser Val Ala Pro Phe Asn Gln 
485                 490                 495     
Thr Leu Thr Gly Leu His Ala Ala Phe Ala Phe His Gln Leu Thr Pro 
500                 505                 510         
Arg Gly Val Val Arg Arg Cys Leu Asn Leu Glu Glu Arg Val Val Leu 
515                 520                 525             
Lys Arg Phe Cys Arg Met Ala Val Glu Gly Val Trp Asn Arg Lys Ser 
530                 535                 540                 
Val Phe Asp Gly Asp Asp Leu Met Val Gln Gly Leu Gly Glu Ser Glu 
545                 550                 555                 560 
Leu Arg Ala Leu Phe His Met Asn Ile Leu Leu Pro Asp Ser His Cys 
565                 570                 575     
Glu Glu Tyr Tyr Thr Phe Phe His Leu Ser Leu Gln Asp Phe Cys Ala 
580                 585                 590         
Ala Leu Tyr Tyr Val Leu Glu Gly Leu Glu Ile Glu Pro Ala Leu Cys 
595                 600                 605             
Pro Leu Tyr Val Glu Lys Thr Lys Arg Ser Met Glu Leu Lys Gln Ala 
610                 615                 620                 
Gly Phe His Ile His Ser Leu Trp Met Lys Arg Phe Leu Phe Gly Leu 
625                 630                 635                 640 
Val Ser Glu Asp Val Arg Arg Pro Leu Glu Val Leu Leu Gly Cys Pro 
645                 650                 655     
Val Pro Leu Gly Val Lys Gln Lys Leu Leu His Trp Val Ser Leu Leu 
660                 665                 670         
Gly Gln Gln Pro Asn Ala Thr Thr Pro Gly Asp Thr Leu Asp Ala Phe 
675                 680                 685             
His Cys Leu Phe Glu Thr Gln Asp Lys Glu Phe Val Arg Leu Ala Leu 
690                 695                 700                 
Asn Ser Phe Gln Glu Val Trp Leu Pro Ile Asn Gln Asn Leu Asp Leu 
705                 710                 715                 720 
Ile Ala Ser Ser Phe Cys Leu Gln His Cys Pro Tyr Leu Arg Lys Ile 
725                 730                 735     
Arg Val Asp Val Lys Gly Ile Phe Pro Arg Asp Glu Ser Ala Glu Ala 
740                 745                 750         
Cys Pro Val Val Pro Leu Trp Met Arg Asp Lys Thr Leu Ile Glu Glu 
755                 760                 765             
Gln Trp Glu Asp Phe Cys Ser Met Leu Gly Thr His Pro His Leu Arg 
770                 775                 780                 
Gln Leu Asp Leu Gly Ser Ser Ile Leu Thr Glu Arg Ala Met Lys Thr 
785                 790                 795                 800 
Leu Cys Ala Lys Leu Arg His Pro Thr Cys Lys Ile Gln Thr Leu Met 
805                 810                 815     
Phe Arg Asn Ala Gln Ile Thr Pro Gly Val Gln His Leu Trp Arg Ile 
820                 825                 830         
Val Met Ala Asn Arg Asn Leu Arg Ser Leu Asn Leu Gly Gly Thr His 
835                 840                 845             
Leu Lys Glu Glu Asp Val Arg Met Ala Cys Glu Ala Leu Lys His Pro 
850                 855                 860                 
Lys Cys Leu Leu Glu Ser Leu Arg Leu Asp Cys Cys Gly Leu Thr His 
865                 870                 875                 880 
Ala Cys Tyr Leu Lys Ile Ser Gln Ile Leu Thr Thr Ser Pro Ser Leu 
885                 890                 895     
Lys Ser Leu Ser Leu Ala Gly Asn Lys Val Thr Asp Gln Gly Val Thr 
900                 905                 910         
Pro Leu Ser Asp Ala Leu Arg Val Ser Gln Cys Ala Leu Gln Lys Leu 
915                 920                 925             
Ile Leu Glu Asp Cys Gly Ile Thr Ala Thr Gly Cys Gln Ser Leu Ala 
930                 935                 940                 
Ser Ala Leu Val Ser Asn Arg Ser Leu Thr His Leu Cys Leu Ser Asn 
945                 950                 955                 960 
Asn Ser Leu Gly Asn Glu Gly Val Asn Leu Leu Cys Arg Ser Met Arg 
965                 970                 975     
Leu Pro His Cys Ser Leu Gln Arg Leu Met Leu Asn Gln Cys His Leu 
980                 985                 990         
Asp Thr Ala Gly Cys Gly Ser Leu  Ala Leu Ala Leu Met  Gly Asn Ser 
995                 1000                 1005             
Trp Leu  Thr His Leu Ser Leu  Ser Met Asn Pro Val  Glu Asp Asn 
1010                 1015                 1020             
Gly Val  Lys Leu Leu Cys Glu  Val Met Arg Glu Pro  Ser Cys His 
1025                 1030                 1035             
Leu Gln  Asp Leu Glu Leu Val  Lys Cys His Leu Thr  Ala Ala Cys 
1040                 1045                 1050             
Cys Glu  Ser Leu Ser Cys Val  Ile Ser Arg Ser Arg  His Leu Lys 
1055                 1060                 1065             
Ser Leu  Asp Leu Thr Asp Asn  Ala Leu Gly Asp Gly  Gly Val Ala 
1070                 1075                 1080             
Ala Leu  Cys Glu Gly Leu Lys  Gln Lys Asn Ser Val  Leu Thr Arg 
1085                 1090                 1095             
Leu Gly  Leu Lys Ala Cys Gly  Leu Thr Ser Asp Cys  Cys Glu Ala 
1100                 1105                 1110             
Leu Ser  Leu Ala Leu Ser Cys  Asn Arg His Leu Thr  Ser Leu Asn 
1115                 1120                 1125             
Leu Val  Gln Asn Asn Phe Ser  Pro Lys Gly Met Met  Lys Leu Cys 
1130                 1135                 1140             
Ser Ala  Phe Ala Cys Pro Thr  Ser Asn Leu Gln Ile  Ile Gly Leu 
1145                 1150                 1155             
Trp Lys  Trp Gln Tyr Pro Val  Gln Ile Arg Lys Leu  Leu Glu Glu 
1160                 1165                 1170             
Val Gln  Leu Leu Lys Pro Arg  Val Val Ile Asp Gly  Ser Trp His 
1175                 1180                 1185             
Ser Phe  Asp Glu Asp Asp Arg  Tyr Trp Trp Lys Asn  
1190                 1195                 1200 
<210>  25
<211>  10
<212>  DNA
<213>  Homo sapiens
<220>
<221>  intron
<222>  (1)..(10)
<223>  Splice-junction sequence 3' of exon 1.
<400>  25
gtcgacagcc 10
<210>  26
<211>  10
<212>  DNA
<213>  Homo sapiens
<220>
<221>  intron
<222>  (1)..(10)
<223>  Splice-junction sequence 5' of exon 2.
<400>  26
tcttttaaag 10
<210>  27
<211>  10
<212>  DNA
<213>  Homo sapiens
<220>
<221>  intron
<222>  (1)..(10)
<223>  Splice-junction sequence 3' of exon 2.
<400>  27
gtaagcgaga 10
<210>  28
<211>  10
<212>  DNA
<213>  Homo sapiens
<220>
<221>  intron
<222>  (1)..(10)
<223>  Splice-junction sequence 5' of exon 3.
<400>  28
tgtcttccag 10
<210>  29
<211>  10
<212>  DNA
<213>  Homo sapiens
<220>
<221>  intron
<222>  (1)..(10)
<223>  Splice-junction sequence 3' of exon 3.
<400>  29
gttagagggg 10
<210>  30
<211>  10
<212>  DNA
<213>  Homo sapiens
<220>
<221>  intron
<222>  (1)..(10)
<223>  Splice-junction sequence 5' of exon 4.
<400>  30
tcttttgcag 10
<210>  31
<211>  10
<212>  DNA
<213>  Homo sapiens
<220>
<221>  intron
<222>  (1)..(10)
<223>  Splice-junction sequence 3' of exon 4.
<400>  31
gtgaatgaaa 10
<210>  32
<211>  10
<212>  DNA
<213>  Homo sapiens
<220>
<221>  intron
<222>  (1)..(10)
<223>  Splice-junction sequence 5' of exon 5.
<400>  32
tcttttgcag 10
<210>  33
<211>  10
<212>  DNA
<213>  Homo sapiens
<220>
<221>  intron
<222>  (1)..(10)
<223>  Splice-junction sequence 3' of exon 5.
<400>  33
gtgtggaaaa 10
<210>  34
<211>  10
<212>  DNA
<213>  Homo sapiens
<220>
<221>  intron
<222>  (1)..(10)
<223>  Splice-junction sequence 5' of exon 6.
<400>  34
tcttttgcag 10
<210>  35
<211>  10
<212>  DNA
<213>  Homo sapiens
<220>
<221>  intron
<222>  (1)..(10)
<223>  Splice-junction sequence 3' of exon 6.
<400>  35
gtgaggaaaa 10
<210>  36
<211>  10
<212>  DNA
<213>  Homo sapiens
<220>
<221>  intron
<222>  (1)..(10)
<223>  Splice-junction sequence 5' of exon 7.
<400>  36
ctgactccag 10
<210>  37
<211>  10
<212>  DNA
<213>  Homo sapiens
<220>
<221>  intron
<222>  (1)..(10)
<223>  Splice-junction sequence 3' of exon 7.
<400>  37
gtgagtaccc 10
<210>  38
<211>  10
<212>  DNA
<213>  Homo sapiens
<220>
<221>  intron
<222>  (1)..(10)
<223>  Splice-junction sequence 5' of exon 8.
<400>  38
cctgacatag 10
<210>  39
<211>  10
<212>  DNA
<213>  Homo sapiens
<220>
<221>  intron
<222>  (1)..(10)
<223>  Splice-junction sequence 3' of exon 8.
<400>  39
gtaaggctgc 10
<210>  40
<211>  10
<212>  DNA
<213>  Homo sapiens
<220>
<221>  intron
<222>  (1)..(10)
<223>  Splice-junction sequence 5' of exon 9.
<400>  40
cccattgcag 10
<210>  41
<211>  10
<212>  DNA
<213>  Homo sapiens
<220>
<221>  intron
<222>  (1)..(10)
<223>  Splice-junction sequence 3' of exon 9.
<400>  41
gtacgtctct 10
<210>  42
<211>  10
<212>  DNA
<213>  Homo sapiens
<220>
<221>  intron
<222>  (1)..(10)
<223>  Splice-junction sequence 5' of exon 10.
<400>  42
gtctctgcag 10
<210>  43
<211>  10
<212>  DNA
<213>  Homo sapiens
<220>
<221>  intron
<222>  (1)..(10)
<223>  Splice-junction sequence 3' of exon 10.
<400>  43
gtgagtgcca 10
<210>  44
<211>  10
<212>  DNA
<213>  Homo sapiens
<220>
<221>  intron
<222>  (1)..(10)
<223>  Splice-junction sequence 5' of exon 11.
<400>  44
cttcttgcag 10
<210>  45
<211>  10
<212>  DNA
<213>  Homo sapiens
<220>
<221>  intron
<222>  (1)..(10)
<223>  Splice-junction sequence 3' of exon 11.
<400>  45
gtgagtctgg 10
<210>  46
<211>  10
<212>  DNA
<213>  Homo sapiens
<220>
<221>  intron
<222>  (1)..(10)
<223>  Splice-junction sequence 5' of exon 12.
<400>  46
tgccccacag 10
<210>  47
<211>  10
<212>  DNA
<213>  Homo sapiens
<220>
<221>  intron
<222>  (1)..(10)
<223>  Splice-junction sequence 3' of exon 12.
<400>  47
gtgagtttcc 10
<210>  48
<211>  10
<212>  DNA
<213>  Homo sapiens
<220>
<221>  intron
<222>  (1)..(10)
<223>  Splice-junction sequence 5' of exon 13.
<400>  48
cctcttgcag 10
<210>  49
<211>  10
<212>  DNA
<213>  Homo sapiens
<220>
<221>  intron
<222>  (1)..(10)
<223>  Splice-junction sequence 3' of exon 13.
<400>  49
gtaacttcct 10
<210>  50
<211>  10
<212>  DNA
<213>  Homo sapiens
<220>
<221>  intron
<222>  (1)..(10)
<223>  Splice-junction sequence 5' of exon 14.
<400>  50
gaccctgcag 10
<210>  51
<211>  10
<212>  DNA
<213>  Homo sapiens
<220>
<221>  intron
<222>  (1)..(10)
<223>  Splice-junction sequence 3' of exon 14.
<400>  51
gtaagtcgcc 10
<210>  52
<211>  10
<212>  DNA
<213>  Homo sapiens
<220>
<221>  intron
<222>  (1)..(10)
<223>  Splice-junction sequence 5' of exon 15.
<400>  52
gcctccccag 10
<210>  53
<211>  10
<212>  DNA
<213>  Homo sapiens
<220>
<221>  intron
<222>  (1)..(10)
<223>  Splice-junction sequence 3' of exon 15.
<400>  53
gttgtcaagt 10
<210>  54
<211>  17
<212>  DNA
<213>  Homo sapiens
<400>  54
gcatgggtca gaaggat                                                    17
<210>  55
<211>  17
<212>  DNA
<213>  Homo sapiens
<400>  55
gtccagtagt ggtaacc                                                    17
<210>  56
<211>  21
<212>  DNA
<213>  Homo sapiens
<400>  56
tgacttctga ttgctgtgag g                                               21
<210>  57
<211>  20
<212>  DNA
<213>  Homo sapiens
<400>  57
ctactggcca tgaccacctt                                                 20